(57)【特許請求の範囲】
【請求項１】
セルのトポロジを有するワイヤレス通信ネットワークのダウンリンクにおいてトレーニング及び送信をスケジュールするための方法であって、
時間−周波数平面内の時間−周波数リソースのサブセットを、異なる各ビンクラスに割り当てるステップであって、各ビンクラスが、前記トポロジ全体にわたって、ユーザ端末が属する１つ又は複数のビンを含み、前記各ビンクラスに属する前記１つ又は複数のビン内のユーザ端末が、前記トポロジ全体にわたって、時間−周波数リソースの前記サブセットによるサービスを受ける、ステップと、
複数の基地局において、複数のビンクラス依存のワイヤレス送信アーキテクチャを使用して、合同ダウンリンクＭＵ−ＭＩＭＯ送信を実行するステップであって、１つ又は複数のビンクラスが、前記複数のビンクラス依存のアーキテクチャの１つに関連付けられ、前記複数のビンクラス依存のアーキテクチャの各々が、前記トポロジ全体にわたって、トレーニングのスケジューリング及びＭＵ−ＭＩＭＯ送信の異なる組み合わせを使用する、ステップと、
を含み、
前記複数のビンクラス依存のワイヤレス送信アーキテクチャが、互いに異なる１つ又は複数のＭＵ−ＭＩＭＯワイヤレス送信特徴を利用し、
前記複数のビンクラス依存のワイヤレス送信アーキテクチャのうちの少なくとも２つのアーキテクチャは、送信のための異なるプリコーダを使用し、異なるスケジューリングスロット当たり最大人数のユーザにサービスを行い、異なる再利用率を使用し、又は異なるパイロット再利用率を使用する、
方法。
【請求項２】
時間−周波数リソースの各サブセットが、前記トポロジ全体にわたって、１つ又は複数のスケジューリングスロットにおいて、異なるビンクラスにサービスを行う、請求項１に記載の方法。
【請求項３】
合同送信のためにビンクラスに属するユーザ端末グループを選択するステップであって、前記ビンクラスに属する１つ又は複数のビンに属するユーザ端末が、前記トポロジ全体にわたって、スケジューリングスロット上で合同してサービスを受ける、ステップをさらに含む、請求項１に記載の方法。
【請求項４】
複数のユーザ端末のうちの各ユーザ端末を、前記各ユーザ端末に関連付けられた地理的な位置情報に基づいて、ビンに割り当てるステップをさらに含む、請求項１に記載の方法。
【請求項５】
複数のユーザ端末のうちの各ユーザ端末を、前記各ユーザ端末と近隣基地局のサブセットとの間のチャネルに対応する広域的なチャネル状態情報に基づいて、ビンに割り当てるステップをさらに含む、請求項１に記載の方法。
【請求項６】
与えられたビンクラスについて、対応するビンクラス依存のアーキテクチャを使用して、前記トポロジ全体にわたって、トレーニングと送信を同時にスケジュールするステップをさらに含む、請求項１に記載の方法。
【請求項７】
スケジューリングのために、前記ビンクラス内の各ビンにおいて、ユーザ端末のサブセットを選択するステップをさらに含む、請求項６に記載の方法。
【請求項８】
ユーザ端末の前記サブセットを選択するステップが、各セル内で発生する、請求項７に記載の方法。
【請求項９】
ユーザ端末の前記サブセットを選択するステップが、基地局が属する各クラスタ内で発生する、請求項７に記載の方法。
【請求項１０】
ビンクラスに応じて、トレーニングと送信をスケジュールするステップをさらに含む、請求項１に記載の方法。
【請求項１１】
前記ビンが、セルラアーキテクチャを用いてサービスされるユーザ端末だけを有するセルビンだけを含むセルビンクラスか、又はクラスタアーキテクチャを用いてサービスされるユーザ端末だけを有するクラスタビンだけを含むクラスタビンクラスかに分類される、請求項１に記載の方法。
【請求項１２】
前記複数のビンクラス依存のワイヤレス送信アーキテクチャの各々の前記特徴は、再利用率と、パイロット再利用率と、ＭＵ−ＭＩＭＯプリコーダとを含む、請求項１に記載の方法。
【請求項１３】
前記複数のビンクラス依存のワイヤレス送信アーキテクチャの各々の前記特徴は、協調的な送信に係わる基地局の数と、与えられたユーザ端末が干渉を経験しない基地局の数とをさらに含む、請求項１２に記載の方法。
【請求項１４】
複数のユーザ端末を有する、ワイヤレス通信情報のためのワイヤレス通信システムであって、
トポロジ内のセル内に配置された複数の基地局と、
時間−周波数平面内の時間−周波数リソースのサブセットを、異なる各ビンクラスに割り当てることによって、前記複数の基地局の合同送信を制御するための基地局コントローラであって、各ビンクラスが、前記トポロジ全体にわたって、ユーザ端末が属する１つ又は複数のビンを含み、前記各ビンクラスに属する前記１つ又は複数のビン内のユーザ端末が、前記トポロジ全体にわたって、時間−周波数リソースの前記サブセットによってサービスされる、基地局コントローラと、
を備え、
前記複数の基地局が、前記複数の基地局において、複数のビンクラス依存のワイヤレス送信アーキテクチャを使用して、合同ダウンリンクＭＵ−ＭＩＭＯ送信を実行し、１つ又は複数のビンクラスが、前記複数のビンクラス依存のアーキテクチャの１つに関連付けられ、前記複数のビンクラス依存のアーキテクチャの各々が、前記トポロジ全体にわたって、トレーニングのスケジューリング及びＭＵ−ＭＩＭＯ送信の異なる組み合わせを使用し、
前記複数のビンクラス依存のワイヤレス送信アーキテクチャが、互いに異なる１つ又は複数のＭＵ−ＭＩＭＯワイヤレス送信特徴を利用し、
前記複数のビンクラス依存のワイヤレス送信アーキテクチャのうちの少なくとも２つのアーキテクチャは、送信のための異なるプリコーダを使用し、異なるスケジューリングスロット当たり最大人数のユーザにサービスを行い、異なる再利用率を使用し、又は異なるパイロット再利用率を使用する、
ワイヤレス通信システム。
【請求項１５】
時間−周波数リソースの各サブセットが、前記トポロジ全体にわたって、１つ又は複数のスケジューリングスロットにおいて、異なるビンクラスにサービスを行う、請求項１４に記載のシステム。
【請求項１６】
前記複数の基地局のうちの基地局が、合同送信のためにビンクラスに属するユーザ端末グループを選択し、前記ビンクラスに属する１つ又は複数のビンに属するユーザ端末が、前記トポロジ全体にわたって、スケジューリングスロット上で合同してサービスを受ける、請求項１４に記載のシステム。
【請求項１７】
前記複数の基地局のうちの基地局が、複数のユーザ端末のうちの各ユーザ端末を、前記各ユーザ端末に関連付けられた地理的な位置情報に基づいて、ビンに割り当てる、請求項１４に記載のシステム。
【請求項１８】
前記複数の基地局のうちの基地局が、複数のユーザ端末のうちの各ユーザ端末を、前記各ユーザ端末と近隣基地局のサブセットとの間のチャネルに対応する広域的なチャネル状態情報に基づいて、ビンに割り当てる、請求項１４に記載のシステム。
【請求項１９】
前記複数の基地局のうちの基地局が、与えられたビンクラスについて、対応するビンクラス依存のアーキテクチャを使用して、前記トポロジ全体にわたって、トレーニングと送信を同時にスケジュールする、請求項１４に記載のシステム。
【請求項２０】
前記複数の基地局のうちの基地局が、各セル内で、スケジューリングのために、前記ビンクラス内の各ビンにおいて、ユーザ端末のサブセットを選択する、請求項１４に記載のシステム。
【請求項２１】
前記複数の基地局のうちの基地局が、各クラスタ内で、前記ビンクラス内の各ビンにおいて、ユーザ端末のサブセットを選択する、請求項１４に記載のシステム。
【請求項２２】
前記複数のビンクラス依存のワイヤレス送信アーキテクチャの各々の前記特徴は、再利用率と、パイロット再利用率と、ＭＵ−ＭＩＭＯプリコーダとを含む、請求項１４に記載のシステム。
【請求項２３】
前記複数のビンクラス依存のワイヤレス送信アーキテクチャの各々の前記特徴は、協調的な送信に係わる基地局の数と、与えられたユーザ端末が干渉を経験しない基地局の数とをさらに含む、請求項２２に記載のシステム。
【発明の詳細な説明】
【技術分野】
【０００１】
（優先権）
[0001]本特許出願は、２０１０年１１月４日に出願された、「Ｍｅｔｈｏｄ  ａｎｄ  Ａｐｐａｒａｔｕｓ  ｆｏｒ  ｔｈｅ  Ｊｏｉｎｔ  Ｄｅｓｉｇｎ  ａｎｄ  Ｏｐｅｒａｔｉｏｎ  ｏｆ  Ｓｃｈｅｄｕｌｉｎｇ  ａｎｄ  Ｐｉｌｏｔ−Ｒｅｕｓｅ  ｆｏｒ  Ｄｏｗｎｌｉｎｋ  Ｍｕｌｔｉ−ｕｓｅｒ  ＭＩＭＯ  ｗｉｔｈ  Ｒｅｃｉｐｒｏｃｉｔｙ−ｂａｓｅｄ  Ｔｒａｉｎｉｎｇ」と題する、対応する特許仮出願第６１／４１０２１２号の優先権を主張し、同特許仮出願を参照することにより組み込む。
【０００２】
（発明の分野）
[0002]本発明の実施形態は、セルラ配備及びビヨンドセルラ（ｂｅｙｏｎｄ−ｃｅｌｌｕｌａｒ）配備におけるダウンリンク（ＤＬ）マルチユーザＭＩＭＯ（ＭＵ−ＭＩＭＯ）送信の分野に関し、より詳細には、本発明の実施形態は、配備のクラスに関し、それにおいてユーザ端末は、配備全体にわたって、ビンにグループ化され、アップリンクトレーニング及び関連するＭＵ−ＭＩＭＯ送信方式は、配備全体にわたって、グループについて最適化された方法で選択される。
【０００３】
（発明の背景）
[0003]ダウンリンク（ＤＬ）マルチユーザ多入力多出力（ＭＵ−ＭＩＭＯ）送信方法は、当技術分野でよく知られている。これらのＤＬ  ＭＵ−ＭＩＭＯ送信方法は、送信基地局（ＢＳ）におけるチャネルについての知識に依存し、又はより正確には、ＢＳアンテナとこのＢＳが情報を送信しようとするユーザ端末（ＵＴ）との間のチャネルについての推定の有用性に依存する。その場合、このチャネル状態情報は、各ＵＴが対象とする信号を復号できるように、送信に先立って、各ＵＴに宛てた情報を「プリコード」するために使用される。
【０００４】
[0004]必要なチャネル状態情報は、ワイヤレス媒体を介してパイロット（すなわち既知の特徴的な波形）を送信し、受信した波形に基づいて、これらのチャネルを推定することによって獲得される。その後、これらの推定は、ＭＵ−ＭＩＭＯプリコーダ（すなわち送信方法）を生成するため、及びデータをＵＴに送信するために使用される。チャネルは時間（及び周波数）に伴って変化するので、トレーニングのプロセスは、ネットワーク全体にわたって、定期的に繰り返される。「パイロットオンパイロット（ｐｉｌｏｔ−ｏｎ−ｐｉｌｏｔ）」方式と呼ばれるものでは、パイロット送信サイクルは、すべてのＢＳにわたって、時間的にそろえられるが、パイロットオンデータ（ｐｉｌｏｔ−ｏｎ−ｄａｔａ）」方式では、与えられたＢＳのパイロット送信サイクルは、他のＢＳからのデータ送信と重なり合う。単一のトレーニングセッションに割り当てられた時間間隔（ｆｒａｃｔｉｏｎ  ｏｆ  ｔｉｍｅ）（又は時間−周波数スロット）が、パイロットトレーニングのために各ＢＳに割り当てられるチャネル使用の数を左右する。この「パイロットトレーニング」信号空間の次元が、各トレーニングフェーズ中に伝達できる可能な直交（又は線形独立）パイロットの数に制約を与える。全ネットワークにわたって獲得する必要があるＢＳ−ＵＴチャネルの数が、各サイクルにおいてトレーニングのために割り当てられたチャネル使用を大きく上回る場合、又は同じことだが、パイロットトレーニングのために割り当てられた信号空間次元の数を大きく上回る場合、パイロットをネットワーク全体にわたって再利用しなければならない。
【０００５】
[0005]送信ＢＳにおいてチャネル推定を獲得するために、ＤＬ  ＭＵ−ＭＩＭＯで使用されるトレーニング方法には、２つのクラスが存在する。２つのクラスは、パイロットを送信する送信元によって効果的に区別される。ＦＤＤベースのトレーニング方式と呼ばれるものでは、ＢＳと各ＵＴの間のチャネルを推定するために、パイロットが最初にＢＳによって送信される。その後、各ＵＴは、送信されたパイロットの測定値を収集し、自らのチャネルを推定する。その後、別の周波数帯域上の共用チャネルを介して、ＵＴは、そのセル内のＢＳに、これらの推定を伝達（フィードバック）する。
【０００６】
[0006]ＴＤＤベースのトレーニング方式と呼ばれるものでは、各ＵＴからパイロットを送信することによって、各ＵＴから送信ＢＳへのチャネルについての推定が、ＢＳにおいて直接的に獲得される。これらの方式は、「伝搬路可逆性（ｃｈａｎｎｅｌ  ｒｅｃｉｐｒｏｃｉｔｙ）」の概念に依存しており、伝搬路可逆性とは、与えられた帯域及び与えられた時刻（ｔｉｍｅ  ｉｎｓｔａｎｃｅ）におけるＢＳからＵＴへのチャネルと、おそらくは異なる帯域及びおそらくは異なる時刻におけるＵＴからＢＳへのチャネルとは、２つのチャネルの時刻及び周波数帯域の隔たりがそれぞれチャネルコヒーレンス（ｃｈａｎｎｅｌ  ｃｏｈｅｒｅｎｃｅ）時間及び帯域幅の内にあるならば、同じである、又はより正確には相関があることを述べたものである。これらの方式は、１組のＵＴからアップリンクにおいてパイロットを送信し、ＢＳにおいて測定値を収集し、これらの測定値に基づいて、ＢＳにおいてＢＳ−ＵＴチャネルを推定し、その後、チャネルコヒーレンス時間内に、同じ帯域を介して、ＢＳからＵＴへのＭＵ−ＭＩＭＯ送信を実行することに依存する。
【０００７】
[0007]パイロットの空間再利用率（ｓｐａｔｉａｌ  ｒｅｕｓｅ  ｆａｃｔｏｒ）を低下させると、各トレーニングサイクル内で伝達する必要のあるパイロットの数が減少する。したがって、それは、パイロットオーバヘッドを減少させ、より多くのスロットをデータ送信のために使用することを可能にする。しかし、これらすべてのトレーニング方式において、パイロットを空間的に再利用する必要性は、チャネル推定品質を代償としてもたらされる。（１組の直交パイロットに属する）与えられたパイロットを用いて、ＢＳとそのセル内のＵＴとの間のチャネルを推定することについて考察する。ネットワーク中の同じパイロットを使用するＵＴが、ＢＳと対象のＵＴとの間の推定を妨害又は「汚染」する。一般に、干渉するＵＴが対象のＢＳに近いほど、「パイロット汚染レベル」も高くなる。結果として、パイロット空間再利用率の低下は、データ送信に専用される時間間隔を増加させるために、又は同時にトレーニングするユーザの数を増加させるために使用することができる。しかし、どちらのケースでも、パイロット空間再利用率の低下は、パイロット汚染のレベルも高め、ひいては、データ送信サイクルの効率を低下させることがある。
【０００８】
[0008]ＴＤＤベースのトレーニングを行うＤＬ  ＭＵ−ＭＩＭＯ方式は、ＦＤＤベースのトレーニングと比べて、利点を提供できることが多い。特に、各アクティブセルにおいて、与えられたスケジューリングスロットｔ内で、一定数Ｓ（ｔ）のユーザがサービスを受けると仮定する（ここで、スケジューリングスロットは、１組の時間−周波数スロットを含み、時間−周波数スロットは、１つ又は複数のＲＢを含む）。ＴＤＤベースのトレーニング方式では、Ｓ（ｔ）を一定に保ちながら、ＢＳ当たりの送信アンテナの数を増加させても、トレーニング方式に変化はなく、したがって、トレーニングオーバヘッドも変化しない。他方、送信アンテナの数を増加させると、各セル内でＭＵ−ＭＩＭＯ方式によってサービスされるＳ（ｔ）人のユーザの各々にこの方式が提供するレートは、はっきりと改善される。そのようなレートの増加は、ＦＤＤベースのＤＬ  ＭＵ−ＭＩＭＯのデータ送信部分においても存在するが、ＦＤＤでは、より大規模なアンテナアレイからの、そのようなよりスループットが高い送信は、トレーニングオーバヘッドの増加を代償としてもたらされる。
【０００９】
[0009]スケジューリングスロット内でトレーニングのために割り当てられる時間−周波数スロットの数に制限が課されて、相反性に基づいたトレーニングを行うＤＬ  ＭＵ−ＭＩＭＯ方式は、高い正味のセルスループットを提供するために、大規模なアンテナアレイの使用を利用することができる。しかし、システムが適切に設計されない場合、この方式は、セルラ配備全体において、非常に不公平なユーザレート分布をもたらすことがある。
【００１０】
[0010]任意の与えられたセルが、そのセル内のＵＴに、他のセルのパイロット割り当てとは独立して、ランダムにパイロットを割り当てる、基本的な状況について考察する。そのような状況では、ＵＴのいずれか１つによって送信されるアップリンクパイロットは、パイロット汚染を経験し、その電力は、近隣セル内でこのパイロットを再利用するＵＴの所在位置（及び送信電力）に応じて、おそらくは広い範囲にわたる値をとることができる。より具体的に言えば、ＴＤＤベースのトレーニングを行うＤＬ  ＭＵ−ＭＩＭＯ方式では、近隣セル内でのパイロットの再利用によって引き起こされるパイロット汚染は、近隣セル内でどのＵＴに同じパイロットが割り当てられるかに強く依存する。特に、ＴＤＤベースのトレーニング方式によって獲得される、ＢＳとそのセル内のＵＴとの間のチャネルの推定の品質は、以下の数量に依存する。
【００１１】
・  ＵＴからＢＳへの送信に影響を与える広域的な（ｌａｒｇｅ−ｓｃａｌｅ）電力減衰と、有効パイロット送信電力。これらは、対象とするＢＳでのチャネル推定のために使用される測定信号内の「有用パイロット信号」成分の電力を左右する。
【００１２】
・  （近隣セル内の）同じパイロットを再利用するＵＴから対象とするＢＳへの送信に影響を与える広域的な電力減衰と、これらのパイロットに関連する送信電力。これらは、対象とするＢＳでのチャネル推定のために使用される測定信号内の干渉又はパイロット汚染信号成分の電力を左右する。
【００１３】
[0011]そのような広域的な信号強度量の値は、送信体と受信体の間の距離、シャドウイング、及び他の環境的な要因を含む、いくつかの要因によって影響される。これらの数量を知ることで、ＢＳは、推定品質を最大化するようにチャネル推定を形成する際に、測定値を最適に使用することが可能になる。
【００１４】
[0012]ＢＳは、一般には、ＵＴによって使用される各パイロットが経験する干渉レベルについての知識を所有することができない。その場合、控えめに推定を形成しなければならない（すなわち、可能な干渉レベルの中で、可能なうちで最も高いレベル又は非常に高いレベルを仮定しなければならない）。これは、チャネル推定品質の著しい低下をもたらすことがある。
【００１５】
[0013]相反性に基づいたトレーニングを行うＭＵ−ＭＩＭＯを利用するアーキテクチャにおいて、所在位置の関数としてＵＴに提供されるレートにパイロット汚染が及ぼす影響について一定の理解を得るために、ＤＬ送信のための１つのよく知られたスケジューリング／トレーニングＭＵ−ＭＩＭＯ方式について考察することには価値がある。この方式は、非常に単純な（ランダム）スケジューリング割り当てを使用する。この方式は、非常に単純な（ランダム）トレーニングシーケンス割り当ても使用する。スケジューリングスロット内の前半の時間−周波数スロットは、トレーニングに専用され、各アクティブセル内で、各ユーザにはランダムにトレーニングスロットが割り当てられる。この方式は、自明なＭＵ−ＭＩＭＯプリコーダにも依存する。特に、ダウンリンク送信中（スケジューリングスロットの後半）、ＢＳは、各セル内のスケジュールされたユーザに宛てられた信号を線形に重ね合わせ、それらを送信する。スケジューリングスロット内の任意の与えられた時間−周波数スロットにおいて、任意の与えられたアンテナによって与えられたユーザに送信される信号は、このアンテナとＵＴアンテナの間のチャネル推定の共役が乗じられた、単なるスカラ符号化（ｓｃａｌａｒ  ｃｏｄｅｄ）ＵＴストリームサンプルである。結果として、このプリコーダは、ＴＸアンテナアレイと（同じ）ＵＴアンテナの間のチャネル推定の共役であるプリコーディングベクトル／ビーム上で、各ＵＴをスケジュールする。このプリコーダは、一般に線形単一ユーザビーム形成（ＬＳＵＢＦ：ｌｉｎｅａｒ  ｓｉｎｇｌｅ−ｕｓｅｒ  ｂｅａｍｆｏｒｍｉｎｇ）プリコーダと呼ばれる。任意の与えられたＵＴのためのプリコーディングベクトルは、ＵＴにおけるビーム形成であるビームとして単に選択される。特定のＵＴのためのビームを選択する際、このプリコーダは、「マルチユーザ」を考慮せず、又は提供しないことに、すなわち、システム内の他のＵＴへのビームによって引き起こされる干渉を考慮しないことに留意されたい。
【００１６】
[0014]この方式は、再利用７（ｒｅｕｓｅ−７）の非常に多くのアンテナを利用することによって、高いエッジユーザレート及びセンタユーザレートを可能にする。再利用７は非常に効率が悪いが、この方式では、エッジユーザレートをまずまずのレベルに引き上げることが必要である。このことを理解するために、再利用１（ｒｅｕｓｅ−１）のシステムについて考察する。送信のために各セル内のユーザがランダムに選択され、各セル内でパイロットがランダムに再割り当てされるので、そのセル内のユーザから受信したＢＳでのパイロット強度は、近隣セル内の同じパイロットを使用するすべてのユーザから生じた、集約受信干渉電力よりも低くなる可能性がある。結果として、そのようなユーザについてのパイロット汚染レベルは、きわめて高く、事実上、これらのユーザに対するゼロレート送信をもたらす。
【００１７】
[0015]そのような方式において、より高いパイロット再利用率（ｐｉｌｏｔ  ｒｅｕｓｅ  ｆａｃｔｏｒ）を利用して、再利用１のセルラ送信を可能にしたとしても、そのような基本的なプリコーダの選択が、正味のセルスループットレートを制限することに留意されたい。特に、セルの中央にいるユーザの場合、マルチユーザ干渉も考慮したプリコーダを使用すると、性能が改善されることはよく知られている。
【発明の概要】
【発明が解決しようとする課題】
【００１８】
[0016]結果として、ＵＴ固有のトレーニング及び送信方式を使用することによって、セルラ配備及びビヨンドセルラ配備のためのＴＤＤベースのＤＬ  ＭＵ−ＭＩＭＯ方式の性能を改善できる明らかな可能性が存在する。
【課題を解決するための手段】
【００１９】
（発明の概要）
[0017]本明細書では、ダウンリンクマルチユーザＭＩＭＯ（ＭＵ−ＭＩＭＯ）のためのスケジューリング及び送信ための方法及び装置が開示される。一実施形態では、方法は、時間−周波数平面内の時間−周波数リソースのサブセットを、異なる各ビンクラス（ｂｉｎ  ｃｌａｓｓ）に割り当てるステップを含み、各ビンクラスは、トポロジ全体にわたって、ユーザ端末が属する１つ又は複数のビン（ｂｉｎ）を含み、各ビンクラスに属する１つ又は複数のビン内のユーザ端末は、トポロジ全体にわたって、時間−周波数リソースのサブセットによってサービスされる。方法は、複数の基地局において、複数のビンクラス依存のワイヤレス送信アーキテクチャを使用して、合同ダウンリンクＭＵ−ＭＩＭＯ送信を実行するステップも含み、１つ又は複数のビンクラスは、複数のビンクラス依存のアーキテクチャの１つに関連付けられ、複数のビンクラス依存のアーキテクチャの各々は、トポロジ全体にわたって、トレーニング及びＭＵ−ＭＩＭＯ送信のスケジューリングの異なる組み合わせを使用する。
【００２０】
[0018]本発明は、また本発明の様々な実施形態についての、以下で与えられる詳細な説明及び添付の図面からより完全に理解されるであろうが、それらは、本発明を特定の実施形態に限定するものと解釈されるべきではなく、もっぱら説明及び理解のためのものと解釈されるべきである。
【図面の簡単な説明】
【００２１】
【図１】一実施形態による、地理的な（経路損失に基づいた）ユーザビニング（ｕｓｅｒ  ｂｉｎｎｉｎｇ）を示す図である。
【図２】一実施形態による、時間−周波数平面がグループに分割され、各グループが異なるビンクラスにサービスすることを示す図である。
【図３】一実施形態による、特定のビンクラスにサービスする帯域内におけるセルラ送信を示す一例を示す図である。
【図４】一実施形態による、再利用１のセルラ線形単一ユーザビーム形成（ＬＳＵＢＦ）に対応する、（１，１，０）方式を示す図である。
【図５】一実施形態による、再利用２のセルラＬＳＵＢＦに対応する、（２，１，０）方式を示す図である。
【図６】一実施形態による、再利用１のセルラ線形ゼロ強制ビーム形成（ＬＺＦＢＦ：Ｌｉｎｅａｒ  Ｚｅｒｏ−Ｆｏｒｃｉｎｇ  Ｂｅａｍｆｏｒｍｉｎｇ）に対応する、（１，１，１）方式を示す図である。
【図７】一実施形態による、再利用２のセルラＬＺＦＢＦに対応する、（２，１，１）方式を示す図である。
【図８】一実施形態による、最も近いセルの干渉無効化を行う、再利用１のセルラＬＺＦＢＦに対応する、（１，１，２）方式を示す図である。
【図９】一実施形態による、再利用２の（２セル）クラスタＬＺＦＢＦに対応する、（２，２，２）方式を示す図である。
【図１０】一実施形態による、最も近い２つのＢＳからの送信に対して干渉無効化を行う、再利用１のクラスタＬＺＦＢＦ送信に対応する、（１，２，２）方式を示す図である。
【図１１】一実施形態による、ＬＺＦＢＦ送信を用いるセルラ「ＦＦＲタイプ」方式を示す図である。
【図１２】セルのトポロジを有するワイヤレス通信ネットワークのダウンリンクにおいて通信を行うためのプロセスの一実施形態のフロー図である。
【図１３】基地局のブロック図である。
【発明を実施するための形態】
【００２２】
（本発明の詳細な説明）
[0019]本発明の実施形態は、セルラ配備及びビヨンドセルラ配備における、ダウンリンク（ＤＬ）マルチユーザＭＩＭＯ（ＭＵ−ＭＩＭＯ）送信に関する。本発明の実施形態は、ＤＬ  ＭＵ−ＭＩＭＯ送信を実行するためのアーキテクチャ選択肢からなるパレット（ｐａｌｅｔｔｅ）の使用に依存する。各アーキテクチャは、セルラのトポロジ全体にわたって、トレーニング及び送信の合同スケジューリングを可能にする。一実施形態では、各アーキテクチャは、１つ又は複数のＢＳ（又はＲＡＵ）上で動作する、それ独自のＭＵ−ＭＩＭＯプリコーディング方式と、それ独自の（セル又はクラスタ）再利用率と、それ独自のアップリンクトレーニング方式とによって特徴付けられる。一実施形態では、トレーニング方式は、特に、トポロジ全体にわたって、ＵＴパイロットトレーニングセットのサイズと、パイロット再利用率と、パイロット再割り当て方法（のための規則）とによって自己特徴付けされる。
【００２３】
[0020]本発明の実施形態は、ビンクラスの使用を利用し、１つ又は複数のビンクラスは、ＤＬ  ＭＵ−ＭＩＭＯ送信アーキテクチャのうちの各アーキテクチャと関連付けられる。ビンクラスの概念は、同時送信のための、ＵＴセットのトポロジ全体にわたる、（地理的情報及び／又は他のゆっくり変化する公称信号強度情報に基づいた）効率的なビニング又は「ペアリング」を可能にする。このように、いくつかのビンクラスが形成され、ビンクラスの間で、スケジューリングスロットリソースが分配される。単一のビンクラスに割り当てられたリソースのグループ内では、（トポロジ全体にわたる）このビンクラスに属するユーザだけが、スケジュールされ、サービスされる。この方式の利点は、各ビンクラスは、与えられたビンクラスについて最適化できるアーキテクチャによって、割り当てられたリソース上で独立してサービスされることである。ビンクラスを適切に形成することによって、合同送信のためにビンクラスからＵＴグループをシステマティックに選択することによって、及びクラスについて最適化されたアーキテクチャによって合同ＤＬ  ＭＵ−ＭＩＭＯ送信を実行することによって、高いエッジ及びセルスループット性能を有する、効率的なセルラ方式及びビヨンドセルラ方式を可能にすることができる。
【００２４】
[0021]本発明の実施形態は、同時送信のために、配備全体にわたるセル（又はセルのクラスタ）内のＵＴのグループをシステマティックにスケジュールするために、ユーザ端末（ＵＴ）と基地局（ＢＳ）又はリモートアンテナユニット（ＲＡＵ）の間の、地理的情報及び／又はゆっくり変化する公称受信信号強度情報の使用を利用する。一実施形態では、同時送信は、配備全体にわたってグループについて最適化された方法で選択された、アップリンクトレーニングメカニズムと、関連するＭＵ−ＭＩＭＯ送信方式とを含む。したがって、この方式は、アップリンクトレーニングのためのパイロット割り当てを可能にすることと結び付けられた、ＵＴ／地理的所在位置について最適化されたＭＩＭＯプリコーダの使用を可能にする。
【００２５】
[0022]以下の説明では、本発明についてのより完全な説明を提供するために、多くの詳細が説明される。しかし、本発明がこれらの特定の詳細を用いずに実施できることは、当業者には明らかであろう。他の場合には、よく知られた構造及びデバイスは、本発明を曖昧にしないように、詳細にではなく、ブロック図形式で示される。
【００２６】
[0023]以下の詳細な説明のいくつかの部分は、コンピュータメモリ内のデータビットに施される操作についてのアルゴリズム及び記号表現によって提示される。これらのアルゴリズムによる説明及び表現は、自らの仕事の内容を他の当業者に最も有効に伝えるために、データ処理分野の当業者によって使用される手段である。アルゴリズムは、ここでは、また一般的にも、所望の結果に到る自己矛盾のないステップの系列であると理解されている。ステップは、物理量の物理的操作を必要とするようなステップである。必ずしも必要ではないが、通常は、これらの量は、保存、伝送、組み合わせ、比較、及び他の操作が可能な、電気的又は磁気的な信号の形態をとる。時には、主として共通使用の理由で、これらの信号をビット、値、要素、シンボル、文字、項、又は数などと呼ぶことが便利であると分かる。
【００２７】
[0024]しかし、これらの用語及び類似の用語は、適切な物理量に関連付けられるべきであり、これらの量に添付された便利なラベルにすぎないことに留意されたい。別途具体的に述べられない限り、以下の説明から明らかなように、説明の全体にわたって、「処理する」又は「計算する」又は「算定する」又は「決定する」又は「表示する」などの言葉を利用する説明は、コンピュータシステムのレジスタ及びメモリ内の物理（電子的）量として表されるデータを操作及び変換して、コンピュータシステムのメモリ若しくはレジスタ、又はそのような情報を保存、送信、若しくは表示するデバイス内の物理量として同様に表される他のデータに変える、コンピュータシステム又は類似の電子的コンピューティングデバイスの動作及び処理に言及していることが理解される。
【００２８】
[0025]本発明は、本明細書の操作を実行するための装置にも関する。この装置は、必要な目的のために特別に構成することができ、又はコンピュータ内に保存されたコンピュータプログラムによって選択的に起動若しくは再構成される汎用コンピュータを含むこともできる。そのようなコンピュータプログラムは、フロッピディスク、光ディスク、ＣＤ−ＲＯＭ、及び磁気光ディスクを含む任意のタイプのディスク、リードオンリメモリ（ＲＯＭ）、ランダムアクセスメモリ（ＲＡＭ）、ＥＰＲＯＭ、ＥＥＰＲＯＭ、磁気若しくは光カード、又は電子的命令を保存するのに適した任意のタイプの媒体などの、しかしそれらに限定されない、コンピュータ可読記憶媒体内に保存することができ、各媒体は、コンピュータシステムバスに結合される。
【００２９】
[0026]本明細書で提供されるアルゴリズム及び表示は、いずれか特定のコンピュータ又は他の装置と本質的な関連はもたない。本明細書の教示に従ったプログラムとともに、様々な汎用システムを使用することができ、又は必要な方法ステップを実行するために、より特殊化した装置を構成するほうが便利であると分かることもある。様々なこれらのシステムに必要な構造は、以下の説明から明らかとなろう。加えて、本発明は、いずれか特定のプログラミング言語を参照して説明されない。本明細書で説明される本発明の教示を実施するために、様々なプログラミング言語を使用できることが理解されよう。
【００３０】
[0027]機械可読媒体は、機械（例えばコンピュータ）によって可読な形式で情報を保存又は伝送するための任意のメカニズムを含む。例えば、機械可読媒体は、リードオンリメモリ（「ＲＯＭ」）、ランダムアクセスメモリ（「ＲＡＭ」）、磁気ディスク記憶媒体、光記憶媒体、フラッシュメモリデバイスなどを含む。
【００３１】
（全般的な概要）
[0028]本発明の実施形態は、互恵性に基づいたトレーニングを行う、セルラ配備及びビヨンドセルラ配備における、スケジューリング、トレーニング、及びＭＵ−ＭＩＭＯ送信のための方法を対象とし、これらのネットワークのダウンリンクにおいて、スペクトル効率の高い送信を可能にすることができる。本発明の実施形態は、カバレージエリア内のＵＴに同時に送信する、送信（コロケート（ｃｏｌｌｏｃａｔｅｄ）又は非コロケート（ｎｏｎ−ｃｏｌｌｏｃａｔｅｄ））アンテナの組を含む、環境に適用可能である。本明細書で開示される方法は、各送信リソースブロック（ＲＢ）内で、アンテナのクラスタからの合同送信を制御する基地局（ＢＳ）コントローラが、送信のためにＵＴのサブセットをスケジュールし、（ＵＴ毎に１つ又は複数の）複数の空間ストリームを生成し、それらを重ね合わせてから、マルチユーザ多入力多出力（ＭＵ−ＭＩＭＯ）送信方法と一般に呼ばれる方法を使用して、複数の空間ストリームを同時に送信する、ケースにも適用可能である。
【００３２】
[0029]本発明の実施形態は、セルラのトポロジ全体にわたって、ユーザのビニング（ｂｉｎｎｉｎｇ）を行い、それらをビンクラスに仕分けるという考えに依存し、各ビンクラスには、トポロジ全体にわたって適用される、ビンクラス固有のトレーニング及びＭＵ−ＭＩＭＯ送信方式による送信のために、時間−周波数リソースの一区画が割り当てられる。本発明の実施形態は、最初に各ＵＴをビンクラス内のビンに割り当てるために、ＵＴとＢＳ（又はＲＡＵ）の間の、地理的情報及びおそらくはゆっくり変化する受信信号強度情報の使用を活用する。その後、各ビンクラスは、残りのビンクラス送信から干渉を受けることなく、利用可能なリソースの一区画上でサービスを受ける。単一のビンクラスに割り当てられたリソース内に存在するスケジューリングスロット内で、ビンクラス内のＵＴのグループが、配備全体にわたって選択され、スケジュールされたＵＴセットに同時に送信するために、ビンクラス固有のトレーニング及びダウンリンクＭＵ−ＭＩＭＯプリコーディング操作が、トポロジ全体にわたって使用される。加えて、アップリンクトレーニングのために使用されるパイロット割り当ては、スケジュールされたＵＴグループのために、パイロット汚染について最適化することができる。一実施形態では、これは、２０１１年４月６日に出願された、「Ｍｅｔｈｏｄ  ａｎｄ  Ａｐｐａｒａｔｕｓ  ｆｏｒ  ｔｈｅ  Ｊｏｉｎｔ  Ｄｅｓｉｇｎ  ａｎｄ  Ｏｐｅｒａｔｉｏｎ  ｏｆ  Ｐｉｌｏｔ−Ｒｅｕｓｅ  Ｍｅｔｈｏｄｓ  ｉｎ  Ｒｅｃｉｐｒｏｃｉｔｙ−Ｂａｓｅｄ  Ｔｒａｉｎｉｎｇ  Ｓｃｈｅｍｅｓ  ｆｏｒ  Ｄｏｗｎｌｉｎｋ  Ｍｕｌｔｉ−Ｕｓｅｒ  ＭＩＭＯ」と題する、米国特許出願第１３／０８１３７３号で説明されているように実行される。
【００３３】
[0030]本明細書で開示されるように、ユーザは、好ましいビン／アーキテクチャクラスにビニングされ、各ビンクラスは、多くの可能なアーキテクチャの１つに関連付けられ、各アーキテクチャは、プリコーダ、再利用率、パイロット再利用率、及び各セル（又はクラスタ）内で同時にサービスを受けることができるユーザの（最大）数からなる一意的な組に対応する。一般に、ビンクラス内のユーザのスケジューリングは、例えば、ラウンドロビン方式で、（最大で）事前に最適化された数までのユーザを選択し、選択されたすべてのユーザに対して同時にアップリンクトレーニングを実行し、その後、それらのユーザのすべて又は一部を（例えばスケジューリング基準を用いて）スケジュールすることによって、実行することができる。
【００３４】
[0031]一実施形態では、ユーザ端末を有する、ワイヤレス通信情報のためのワイヤレス通信システムは、トポロジ内のセル内に配置された複数の基地局と、基地局コントローラとを含む。基地局コントローラは、時間−周波数平面内の時間−周波数リソースのサブセットを、異なる各ビンクラスに割り当てることによって、複数の基地局の合同送信を制御し、各ビンクラスは、トポロジ全体にわたって、ユーザ端末が属する１つ又は複数のビンを含み、各ビンクラスに属する１つ又は複数のビン内のユーザ端末は、トポロジ全体にわたって、時間−周波数リソースのサブセットによってサービスされる。基地局は、基地局において、複数のビンクラス依存のワイヤレス送信アーキテクチャを使用して、合同ダウンリンクＭＵ−ＭＩＭＯ送信を実行し、１つ又は複数のビンクラスは、ビンクラス依存のアーキテクチャの１つに関連付けられ、各ビンクラス依存のアーキテクチャは、そのビンクラスのために、トポロジ全体にわたって、スケジューリング及びＭＵ−ＭＩＭＯ送信の異なる組み合わせを使用する。
【００３５】
[0032]以下では、サンプルとなる１組の実施形態が、それらの潜在的な利点と併せて説明される。実施形態は、例えば、図１に示されるような、ＢＳの１次元（１Ｄ）線形トポロジに関連して説明される。しかし、本発明の実施形態がすべてのトポロジに適用可能であり、１Ｄ線形トポロジに限定されないことは、当業者であれば理解されよう。
【００３６】
[0033]図１は、一実施形態による、地理的な（経路損失に基づいた）ユーザビニングを示している。図１を参照すると、第ｂ番目のセルは、［ｂ−１／２，ｂ＋１／２）の広がりを有し、ＢＳ  ｂは、ｂに配置される。説明の目的で、「高速フェージングを伴う経路損失」チャネルモデルを対象とするが、そうすると、（ＢＳ又はリモートアンテナユニット（ＲＡＵ）の）ＴＸアンテナとＵＴアンテナの間の公称受信信号強度は、２つのアンテナの間の経路損失に等しく、この経路損失値は、単に２つのアンテナ間の距離の関数である。この場合、本発明の実施形態は、地理的所在位置について最適化されたスケジューリング／トレーニング及び送信と見なすことができる。
【００３７】
[0034]一実施形態では、各セルは、あるＫ＞１として、２Ｋ個のビンに分割される（各サイズは例えば１／２Ｋ）。ｋ＝１，２，．．．，２Ｋとして、（ｋ，ｃ）は、図１に示されるように、セルｃ内の第ｋ番目のビンを表すとする（左から右に（１，ｃ）、（２，ｃ）、．．．、（２Ｋ，ｃ）と列挙される）。ビンクラスｋは、すべてのｃにわたる、すべてのビン（ｋ，ｃ）によって形成され、トポロジ全体にわたる（セル）ビンクラスｋ内のユーザは、例えば、図２に示されるように、時間−周波数スロットのサブセット上において合同でサービスされる。
【００３８】
[0035]図２を参照すると、時間−周波数（ＴＦ）平面は、スロットのグループに分割され、各グループは、特定の（異なる）ビンクラス内のユーザにサービスを行うために、トポロジ全体にわたって使用される。特に、特定のビンクラスにサービスを行うスケジューリングスロット内で、同時アップリンクトレーニング及びＤＬ  ＭＵ−ＭＩＭＯ送信のために、ビンクラス内のビンからユーザが選択される。すなわち、与えられたビンクラスにサービスを行う時間−周波数スロットのグループ内では、与えられたビンクラスに関連付けられたビン内に存在するユーザだけが、トポロジ全体においてサービスを受ける。本明細書で提供される説明では、簡潔にするため、各スケジューリングスロット内では、一定数ＬＴの時間−周波数スロットが、トレーニングのために割り当てられることが仮定されるが、実際には、この数も、最適化変数とすることができる。
【００３９】
[0036]一実施形態では、ユーザは、ビンに仕分けられ、ビンは、トポロジ全体にわたって、ビンクラスを形成するために使用される。各ビンクラス（すなわち、ビンクラス内のビンに包含されるＵＴ）には、利用可能な時間−周波数リソースの一区画が与えられ、時間−周波数リソースのこの区画上でビンクラスにサービスを行うためのアーキテクチャが、（例えば事前に）選択される。一実施形態では、利用可能な時間−周波数リソースの割り当ては、基地局と通信可能に結合された、基地局コントローラ（例えば、図１及び図３〜図１１の基地局コントローラ）によって実行される。一代替実施形態では、基地局コントローラとは別個の割り当てユニットが、割り当てを制御する。一実施形態では、コントローラが、時間−周波数スロットから、サービスを受けるビンクラスへのマッピングを指定する。一実施形態では、ビンクラス毎に、コントローラは、使用されるアーキテクチャ（サービスを受けるユーザの数、プリコーダ、パイロットシーケンスを含み、これらすべては原則的に基地局固有とすることができる）も指定する。また、周波数が再利用される、ビンクラスに割り当てられた１組の時間−周波数スロット内では、コントローラは、ＢＳがその間に送信を行うスロットのサブセットを指定することができる。同様に、クラスタ送信ケースにおける一実施形態では、コントローラは、スロットのサブセットとＢＳクラスタとの間のマッピングも指定する。
【００４０】
[0037]一実施形態では、アーキテクチャは、例えば、利用可能なアーキテクチャ選択肢のパレットから選択される。一実施形態では、アーキテクチャのパレットは、３つ組（Ｆ，Ｃ，Ｚ）と、パイロット再利用率Ｑとによって表すことができるセルラアーキテクチャ及びクラスタアーキテクチャを含み、ここで、
・  Ｃは、協調的送信に係わるＢＳの数を表し（Ｃ＝１は、セルラに対応し、Ｃ＞１は、クラスタ送信に対応する）、
・  Ｆは、アーキテクチャ（セルラ又はクラスタ）再利用率を表し、
・  Ｚは、任意の与えられたＵＴがそこからの干渉を経験しない（最も近い）ＢＳの数を表す。
【００４１】
[0038]一実施形態では、パレットは、セルラアーキテクチャ（Ｃ＝１）を含むだけであり、２Ｋ個のビンクラスが定義され、第ｋ番目のビンクラスは、集合Ｘｋ＝｛（ｋ，ｃ）；ｃはすべてのｃにわたる｝内のビンとして規定される。結果として、セルラアーキテクチャのパレットは、集合Ｘｋ＝｛（ｋ，ｃ）；ｃはすべてのｃにわたる｝内のビンの１つに包含されるすべてのＵＴにサービスを行うための選択肢と見なされる。一実施形態では、任意の与えられたセルラアーキテクチャは、再利用率Ｆと、配備全体にわたってパイロットを地理的に再割り当てするための方法と一緒にされた、パイロット再利用率Ｑと、それ独自のＭＵ−ＭＩＭＯプリコーダとによって特徴付けられる。
【００４２】
[0039]図３は、特定のビンクラスにサービスを行う帯域内におけるセルラ送信を示す一例を示している。図３を参照すると、各セル内では、（このスケジューリングスロット上でサービスを受けるビンクラスに属する）ビンからＳ人のユーザがスケジュールされる。相互依存に基づいたトレーニングが実行され、続いて、ＤＬ  ＭＵ−ＭＩＭＯセルラ送信が実行される。破線は、セル間干渉を表し、実線は、ビン内のユーザに有用な信号を含む送信を表すことに留意されたい。
【００４３】
[0040]図４〜図８は、本発明の異なる実施形態による、いくつかのそのようなセルラ（Ｆ，１，Ｚ）タイプのアーキテクチャを示している。図４、図６、及び図８は、特に、再利用１のアーキテクチャ（すなわちＦ＝１）を示しており、そのプリコーダは、プリコーダが満たすことを求められるゼロ強制制約に関して様々である。図５及び図７は、それぞれ、図４及び図６のアーキテクチャの再利用２のバージョンに対応する。すべての図において、ビンクラスは、変数「ｘ」によって暗黙的に識別され、変数「ｘ」は、セルビンの中央とセルＢＳ（又は等価的にセルの中央）との間の距離を表すことに留意されたい。
【００４４】
[0041]図４は、一実施形態による、再利用１のセルラ線形単一ユーザビーム形成（ＬＳＵＢＦ）に対応する、（１，１，０）方式を示している。図４を参照すると、各セル内では、（サービスを受けるビンクラスに属する）ビン内のＳ人のユーザが、トレーニング及び送信のために選択される。アップリンクトレーニングの後、基地局ｂは、ＬＳＵＢＦプリコーダを用いて、データストリームをＳ人のスケジュールされたユーザに同時に送信する。
【００４５】
[0042]図５は、一実施形態による、再利用２のセルラＬＳＵＢＦに対応する、（２，１，０）方式を示している。図５を参照すると、ビンクラスにサービスを行う２つの各帯域内では、セルの半分（奇数セル又は偶数セル）がアクティブである。帯域内のアクティブセルｂ毎に、各スケジューリングスロットにおいて、（サービスを受けるビンクラスに属する）ビン内のＳ人のユーザが、トレーニング及び送信のために選択される。アップリンクトレーニングの後、基地局ｂは、ＬＳＵＢＦを用いて、データストリームをＳ人のスケジュールされたユーザに同時に送信する。
【００４６】
[0043]一実施形態では、与えられた（Ｆ，１，Ｚ）方式のプリコーダが各セル内でサービスできるユーザの数Ｓは、１からＳｍａｘまでの範囲を有することができるパラメータであり、ビンクラス毎に、すなわち、集合Ｘｋ毎に独立して最適できることに留意されたい。任意の与えられたセル内で同時にスケジュールできるユーザの最大数Ｓｍａｘは、Ｓｍａｘ≦ｆｌｏｏｒ（ＬＴ／Ｑ）によって与えられ、ここで、ｆｌｏｏｒ（ｘ）は、ｘを超えない最大の整数を表す。しかし、Ｓｍａｘは、特定のプリコーダのＣＳＩ要件に間接的に依存することに留意されたい。例えば、（例えば図６における）与えられたアクティブセル内でＬＺＦＢＦを動作させるには、セル内のスケジュールされたＳ個のＵＴの各々とセルＢＳとの間のＣＳＩが必要とされる。セルセンタのユーザ（例えば、ビンクラスＸＫ、ＸＫ＋１内のユーザ）の場合、再利用率Ｆに係わらず、Ｑ＝１のパイロット再利用率で十分なことがあり、ＬＺＦＢＦのために、条件Ｓ≦Ｓｍａｘ＝ｍａｘ｛ＬＴ，Ｍ｝をもたらし、Ｍは、ＢＳアンテナの数を表す。もちろん、ＸＫ及びＸＫ＋１にサービスを行うために、任意のＱ≧１を使用することができ、Ｓ≦Ｓｍａｘ＝ｍａｘ｛ｆｌｏｏｒ（ＬＴ／Ｑ），Ｍ｝をもたらす。例えば、Ｑ＝２を用いるトレーニング方式は、Ｑ＝１を用いるシステムよりも良好なＣＳＩをもたらす。しかし、それは、同時にスケジュールされるユーザの最大数を、ひいては、提供される多重化利得を制限することもある。どのＱ値が好ましいかは、検討されるアーキテクチャ、ビンクラス、並びに特定のＭ値及びＬＴ値に依存する。一例として、ＬＺＦＢＦを使用する再利用１のアーキテクチャ（すなわち図６のアーキテクチャ）を用いるセンタユーザを考える。ＭがＬＴに対して十分に小さい場合、すなわち、Ｍ≦ＬＴ／２である場合、パイロット再利用がＱ＝１及びＱ＝２の両方について、Ｓｍａｘ＝Ｍである。パイロット再利用がＱ＝１である場合のユーザの最適数Ｓを与えた場合、Ｑ＝２のシステムも、同数Ｓのユーザをスケジュールすることができ、より優れたチャネル推定のため、ユーザがＳ人である場合には、より高い性能をもたらす。結果として、Ｑ＝１に代わって、Ｑ＝２の方が好ましい。しかし、Ｍ＞ＬＴである他方の極限では、Ｑ＝１の方式は、Ｑ＝２の方式よりも、最大で２倍のユーザをスケジュールすることができる。そのようなケースでは、ビンレートの最大化に関しては、Ｑ＝１を使用するのが、通常はより良い選択である。
【００４７】
[0044]本発明の実施形態は、異なるビンクラスにサービスする際に、異なる再利用率を使用することを可能にする。例えば、図６及び図７のアーキテクチャのどちらかで、ＬＺＦＢＦを用いて、ユーザにサービスすることを考える。図６は、一実施形態による、再利用１のセルラ線形ゼロ強制ビーム形成（ＬＺＦＢＦ）に対応する、（１，１，１）方式を示している。図６を参照すると、各セル内では、（サービスを受けるビンクラスに属する）ビン内のＳ人のユーザが、トレーニング及び送信のために選択される。アップリンクトレーニングの後、基地局ｂは、ＬＺＦＢＦプリコーダを用いて、データストリームをＳ人のスケジュールされたユーザに同時に送信する。ＬＺＦＢＦプリコーダによって実施されるゼロ強制条件のため、ビン内のサービスを受ける各ＵＴは、サービング基地局によって送信された、他のＵＴに宛てた信号からの干渉を経験しないことに留意されたい。
【００４８】
[0045]図７は、一実施形態による、再利用２のセルラＬＺＦＢＦに対応する、（２，１，１）方式を示している。図７を参照すると、ビンクラスにサービスを行う２つの各帯域内では、セルの半分（奇数セル又は偶数セル）がアクティブである。帯域内のアクティブセルｂ毎に、任意の与えられたスケジューリングスロットにおいて、（サービスを受けるビンクラスに属する）ビン内のＳ人のユーザが、トレーニング及び送信のために選択される。アップリンクトレーニングの後、基地局ｂは、ＬＺＦＢＦプリコーダを用いて、データストリームをＳ人のスケジュールされたユーザに同時に送信する。ゼロ強制のため、ビン内のサービスを受ける各ユーザは、サービング基地局によって他のＵＴに送信された、信号からの干渉を経験しない。
【００４９】
[0046]したがって、図６及び図７において、ＬＺＦＢＦを用いてユーザにサービスを行うことに関して、エッジユーザ、例えば、ビンクラスＸ１、Ｘ２Ｋ内のユーザの場合、再利用１のアーキテクチャは、低いＳＩＮＲをもたらし、ひいては、低いユーザ当たりレートをもたらす。このことは、近隣送信局からの高いレベルの干渉のため、高いパイロット再利用を用いた場合でさえも成り立つ。図７の再利用２のアーキテクチャは、（各帯域上でクラス内の１つおきのビンにしかサービスを行わないので）多重化利得を１／２に低下させるが、各アクティブセルに隣接するセルからの送信がオフにされるという事実は、再利用１のケースと比べて、著しく改善されたエッジユーザＳＩＮＲをもたらす。他方、センタユーザの場合、図７の再利用２のアーキテクチャによって提供されるＳＩＮＲの改善よりも、再利用率が２であることによる多重化利得の低下の方が強く作用するので、図６の再利用１のアーキテクチャの方が好ましい。
【００５０】
[0047]一実施形態では、再利用１及び再利用２のＬＺＦＢＦアーキテクチャだけが、トポロジ内ですべてのユーザにサービスを行うための選択肢として検討される。送信リソースは、２Ｋ個の部分に分割され、第ｋ番目の部分は、ビンクラスｋにサービスを行うために使用される。ｋをｍがある値である｛Ｋ−ｍ＋１，．．．，Ｋ，Ｋ＋１，．．．，Ｋ＋ｍ｝内の各値として、ビンクラスｋは、再利用１のＬＺＦＢＦアーキテクチャ、すなわち、（１，１，１）を用いたサービスを受け、残りのビンクラスは、再利用２のＬＺＦＢＦアーキテクチャ、すなわち、（２，１，１）を用いたサービスを受ける。一実施形態では、各アーキテクチャ及びパイロット再利用方式によってスケジュールされるユーザの数は、ビンクラス毎に（オフライン最適化を用いて）最適化される。パイロットは、アクティブセル毎に、ランダムに再割り当てすることができ、又は２０１１年４月６日に出願された、「Ｍｅｔｈｏｄ  ａｎｄ  Ａｐｐａｒａｔｕｓ  ｆｏｒ  ｔｈｅ  Ｊｏｉｎｔ  Ｄｅｓｉｇｎ  ａｎｄ  Ｏｐｅｒａｔｉｏｎ  ｏｆ  Ｐｉｌｏｔ−Ｒｅｕｓｅ  Ｍｅｔｈｏｄｓ  ｉｎ  Ｒｅｃｉｐｒｏｃｉｔｙ−Ｂａｓｅｄ  Ｔｒａｉｎｉｎｇ  Ｓｃｈｅｍｅｓ  ｆｏｒ  Ｄｏｗｎｌｉｎｋ  Ｍｕｌｔｉ−Ｕｓｅｒ  ＭＩＭＯ」と題する、米国特許出願第１３／０８１３７３号において説明されているような技法を利用することができる。
【００５１】
[0048]図８は、一実施形態による、最も近いセルの干渉無効化を行う、再利用１のセルラＬＺＦＢＦに対応する、（１，１，２）方式を示している。図８を参照すると、各セル内では、（サービスを受けるビンクラスに属する）ビン内のＳ人のユーザが、トレーニング及び送信のために選択される。アップリンクトレーニングの後、基地局ｂは、最も近い隣のセルのサービスを受けるユーザに対する干渉制約も課されて、ＬＺＦＢＦプリコーダを用いて、データストリームをＳ人のスケジュールされたユーザに同時に送信する。ゼロ強制のため、ビン内のサービスを受ける各ユーザは、２つの最も近い基地局から他のＵＴに送信された信号からの干渉を経験しない。
【００５２】
[0049]ビニングクラスは、他の形態をとることもできる。図９及び図１０は、トポロジ全体にわたって、一体となった「ビンクラスタ」にサービスを行う、２つのクラスタアーキテクチャを示している。これらのケースでは、ビンクラスは、ビンのクラスタの集まりに対応する。特に、ＢＳ  ｂ及びｂ＋１から成るＢＳのクラスタをクラスタｂによって表すと、ビンクラスは、ｋ＝１，．．．，Ｋとして、［ｋ，ｂ］＝｛（２Ｋ−ｋ＋１，ｂ），（ｋ，ｂ＋１）｝の形のビンの対によって形成される、すべてのクラスタビンを含む。第ｋ番目の（クラスタ）ビンクラスは、［ｋ，ｂ］の形のすべてのクラスタビンの集まりに対応する。セルラのケースと同様に、図９及び図１０では、サービスを受けるビンクラスは、変数「ｘ」によって暗黙的に識別され、変数「ｘ」は、クラスタビン内の左セルビンの中央と左セルＢＳ（又は等価的に左セルの中央）との間の距離を表す。しかし、１／２＜ｘ＜１／２である、セルラケースとは異なり、クラスタケースでは、０≦ｘ＜１／２である。図９及び図１０は、これらのクラスタケースにおいて、ＵＴを選択し、パイロットを割り当てる際の、追加の１組の潜在的な制約も暗示している。
【００５３】
[0050]図９は、一実施形態による、再利用２の（２セル）クラスタＬＺＦＢＦに対応する、（２，２，２）方式を示している。図９を参照すると、ユーザは、ＢＳのクラスタによってサービスされ、クラスタｂは、ＢＳ  ｂ及びｂ＋１を含む。ビンクラスにサービスを行う２つの各帯域内では、クラスタの半分（奇数クラスタ又は偶数クラスタ）がアクティブである。すなわち、ビンクラス「ｘ」がサービスを受ける場合、Ｓ＝Ｓ（ｘ）人のユーザが、各アクティブクラスタから選択される。帯域内でアクティブである各クラスタｂ内では、（サービスを受けるクラスに属する）第ｂ番目の「クラスタビン」からＳ人のユーザが、トレーニング及び送信のために選択される。特に、Ｓ人のユーザが選択され、クラスタビンを構成する、セルｂ内のセルビンとセルｂ＋１内のセルビンの間で均等に仕分けられる。さらに、アップリンクトレーニングに関して、任意の与えられたパイロットシーケンスは、アクティブクラスタの左セルビン内のＵＴだけに、若しくは右セルビン内のＵＴだけに割り当てることができ、又は再割り当てが行われるたびに、左セルのＵＴと右セルのＵＴの間で交互に割り当てることができる。アップリンクトレーニングの後、クラスタｂは、ＬZFＢＦプリコーダを用いて、データストリームをクラスタ内のＳ人のスケジュールされたユーザに同時に送信する。ゼロ強制のため、サービスを受ける各ユーザは、最も近い２つの（すなわちそのサービング）ＢＳによって他のＵＴに送信される信号からの干渉を経験しない。
【００５４】
[0051]図１０は、一実施形態による、最も近い２つのＢＳからの送信に対して干渉無効化を行う、再利用１のクラスタＬＺＦＢＦ送信に対応する、（１，２，２）方式を示している。図１０を参照すると、各クラスタ内では、サービスを受けるビンクラスのクラスタビン内の（２つのセルの間に均等に仕分けられた）Ｓ人のユーザが、トレーニング及び送信のために選択される。図９の実施形態と同様に、アップリンクトレーニングに関して、任意の与えられたパイロットシーケンスは、アクティブクラスタの左セルビン内のＵＴだけに、若しくは右セルビン内のＵＴだけに割り当てることができ、又は再割り当てが行われるたびに、左セルのＵＴと右セルのＵＴの間で交互に割り当てることができる。一実施形態では、左ビンから選択されたＵＴと右ビンから選択されたＵＴは、例えば、同じに（又はほぼ同じに）なるように、事前に決めておくことができる。アップリンクトレーニングの後、クラスタｂは、ＬＺＦＢＦプリコーダを用いて、データストリームをクラスタ内のＳ人のスケジュールされたユーザに同時に送信する。サービスを受ける各ユーザが、そのサービングクラスタのＢＳによって送信される信号からの干渉を経験しないことを保証するために、各プリコーダは、近隣セル内のスケジュールされたＵＴのＢＳ−ＵＴチャネルに対する追加のＺＦ制約が課されて設計される。
【００５５】
[0052]一実施形態では、セルラアーキテクチャ及びクラスタアーキテクチャのパレットを考慮して、ビンは、「セルビンクラス」及び「クラスタビンクラス」に分類することができる。セルビンクラスは、セルビンだけを含み、クラスタビンクラスは、クラスタビンだけから構成される。一実施形態では、各セルビンクラス内のＵＴは、（おそらくはビンクラス固有の）セルラアーキテクチャを用いてサービスを受け、各クラスタビンクラス内のＵＴは、（おそらくはビンクラス固有の）クラスタアーキテクチャを用いてサービスを受ける。
【００５６】
[0053]別の実施形態は、セルラ分数周波数再利用（ＦＦＲ：ｆｒａｃｔｉｏｎａｌ  ｆｒｅｑｕｅｎｃｙ  ｒｅｕｓｅ）タイプ方式の使用を含む。図１１は、セルラＬＺＦＢＦに基づいた、最も単純なセルラＦＦＲタイプ方式の１つを示している。このケースでは、ビンクラスは、図１１に示されるように、ビン（ｋ，ｂ）を近隣のビン（Ｋ＋ｋ，ｂ＋１）と対にすることによって形成される。図１１は、一実施形態による、ＬＺＦＢＦ送信を用いるセルラ「ＦＦＲタイプ」方式を示している。図１１を参照すると、「ＦＦＲタイプ」のビンクラスは、奇数セル内のビン「ｘ」を偶数セル内のビン「ｓｉｇｎ（ｘ）（１／２−ｘ）」と対にすることによって形成される。一実施形態では、１つは奇数セル用の、１つは偶数セル用の、２つの異なるＬＺＦＢＦプリコーダが、トポロジ全体にわたって使用される。特に、奇数（偶数）セルがサービスを行うＵＴのビンの方が、偶数（奇数）セルがサービスを行うＵＴのビンよりも、セルエッジにより近い場合、奇数（偶数）セルは、公称よりも高い送信電力を使用し、偶数（奇数）セルは、公称よりも低い送信電力を使用する。結果として、セルセンタＵＴのＳＩＮＲ及びレートを代償にして、実行可能なＳＩＮＲレベルが、（再利用１のアーキテクチャを用いた場合でさえも）エッジＵＴに利用可能である。任意の与えられたビンクラスについて、各奇数セル内で同時にスケジュール及びサービスされるユーザの数は、偶数セル内でサービスされる数と異なることができる。特に、これらのパラメータ（並びに奇数セル及び偶数セルの送信電力）は、ビンクラス毎にオフラインで最適化することができ、したがって、異なるビンクラスに割り当てられる時間−周波数リソース上で、最適に設定することができる。
【００５７】
[0054]多くの直接的な拡張が存在する。例えば、セルラ、クラスタ、及びＦＦＲタイプのアーキテクチャは、すべて一緒にして考えることができる。一実施形態では、ユーザは、ビンに入れられ、これらのビンは、「セル」、「クラスタ」、「ＦＦＲタイプ」のビンクラスに分類される。そのようなケースでは、各ビンクラスには、スケジューリングリソースの一区画が割り当てられ、各ビンクラスは、上で説明したように、他のすべてのビンクラスとは独立に操作される。一実施形態では、セル、クラスタ、及びＦＦＲタイプのビンクラス内のＵＴは、ビンクラスについて最適化された、セルラ、クラスタ、及びＦＦＲタイプのアーキテクチャを用いてサービスされる。
【００５８】
[0055]一実施形態では、セルラアーキテクチャによってサービスされる、１つ又は複数のビンクラスが含まれるが、各アクティブセルでは、セル内の１組のビンから、ユーザが選択される。一実施形態では、アクティブセルｂにおいて、Ｓ１人のユーザが、ビン（ｋ１，ｂ）から選択され、Ｓ２人のユーザが、ビン（ｋ２，ｂ）から選択される。セルラＭＵ−ＭＩＭＯプリコーダは、（ｋ１，ｂ）内で選択された各ＵＴが、Ｚ１個の最も近いＢＳからの干渉を経験せず、（ｋ２，ｂ）内で選択された各ＵＴが、Ｚ２個の最も近いＢＳからの干渉を経験しないように適用され、Ｚ１はＺ２と同じでもよく、又は異なってもよい。
【００５９】
[0056]一実施形態では、ユーザをビンに分類するために、付加的な公称受信信号強度情報が使用される。例えば、再利用ＦのセルラＬＺＦＢＦ方式を用いてユーザ集団にサービスを行うことに依存する場合について考察する。一実施形態では、ユーザをビンに分類するために使用される情報は、送信ＢＳに関するＵＴにおける公称受信信号強度と、１つ又は複数の近隣干渉ＢＳに関するＵＴの受信信号強度も含むことができる。
【００６０】
[0057]一実施形態では、これは、（ダウンリンクトレーニングによって、又はアップリンクトレーニングサイクルの副産物として）「十分に近い」各ＵＴにおける広域的な公称受信信号強度を、各ＢＳに低頻度で推定させる（又はその推定を更新させる）ことによって達成される。そのような更新は、数秒又は数分のオーダとすることができる。与えられたアーキテクチャにおいて、ビン内のユーザは、すべてが必ずしも同じＳＩＮＲを有するわけではなく、ある範囲内のＳＩＮＲを有する。一実施形態では、ビンクラスの変更を妥当とするのに十分な変化をユーザのチャネルが起こした場合にのみ、これらの更新が起こる。そのような更新が起こった場合はいつでも、ユーザのうちの僅かな一群だけが、そのビンクラスを変更すると予想される。「十分に近い」という表現は、ＢＳがサービスを行うＵＴばかりではなく、それについての公称受信信号強度が無視し得ない、近隣ＢＳ内のすべてのＵＴも包含するものとして、ここでは使用されている。一実施形態では、ＢＳがそのような受信信号強度推定を獲得した、近隣セル内の各ＵＴについて、ＢＳは、この推定を、このＵＴにサービスを行うＢＳから利用可能にする。それぞれ同様なことを行った後では、各ＢＳは、自身の各ＵＴと近隣ＢＳとの間の受信信号強度レベルについて十分な情報を有しており、その情報は、ＢＳが、各アーキテクチャを踏まえて、自身の各ＵＴについての公称ＳＩＮＲ推定を形成することを可能にする。その後、各アーキテクチャ上でのＵＴの公称ＳＩＮＲ推定は、関連する地理ベースの方式（例えば、それぞれＦ＝１及びＦ＝２の場合の図６及び図７）における、等価の「仮想」ビン位置に容易に「マッピング」することができる。その結果、すべてのアーキテクチャの下でＵＴに提供されるレートを、容易に比較することができる。その後、ＵＴに最も高いレートをもたらすアーキテクチャを選択することができ、次に、ＵＴを適切な（「仮想」）ビンクラスに入れることができる。最後に、スケジュールされたＵＴ集団にわたるパイロット再利用及び割り当てを選択することができる。一実施形態では、これは、２０１１年４月６日に出願された、「Ｍｅｔｈｏｄ  ａｎｄ  Ａｐｐａｒａｔｕｓ  ｆｏｒ  ｔｈｅ  Ｊｏｉｎｔ  Ｄｅｓｉｇｎ  ａｎｄ  Ｏｐｅｒａｔｉｏｎ  ｏｆ  Ｐｉｌｏｔ−Ｒｅｕｓｅ  Ｍｅｔｈｏｄｓ  ｉｎ  Ｒｅｃｉｐｒｏｃｉｔｙ−Ｂａｓｅｄ  Ｔｒａｉｎｉｎｇ  Ｓｃｈｅｍｅｓ  ｆｏｒ  Ｄｏｗｎｌｉｎｋ  Ｍｕｌｔｉ−Ｕｓｅｒ  ＭＩＭＯ」と題する、米国特許出願第１３／０８１３７３号において説明されているような技法を使用して行うことができる。
【００６１】
[0058]本発明で説明されたすべての例では、一様な線形トポロジ及びＵＴ分布について考察したが、提案された技法が、例では考察されなかった、一様又は非一様なＢＳ分布を有する２Ｄトポロジ、一様で静的な又はランダムに変化するＵＴセル分布、及び他の最先端のＭＵ−ＭＩＭＯプリコーディング方法にも容易に適用できることは明らかである。
【００６２】
（ダウンリンク送信のためのプロセスの一例）
[0059]図１２は、セルのトポロジを有するワイヤレス通信ネットワークのダウンリンクにおいて通信を行うためのプロセスの一実施形態のフロー図である。プロセスは、ハードウェア（回路、専用ロジックなど）、（汎用コンピュータシステム若しくは専用マシン上で実行される）ソフトウェア、又は両方の組み合わせを含むことができる、処理ロジックによって実行される。
【００６３】
[0060]図１２を参照すると、処理は、処理ロジックが、複数のユーザ端末のうちの各ユーザ端末を、前記各ユーザ端末に関連付けられた地理的な位置情報に基づいて、ビンに割り当てることによって開始する（処理ブロック１２０１）。一実施形態では、各ユーザ端末のビンへの割り当ては、各ユーザ端末と近隣基地局のサブセットとの間のチャネルに対応する、広域的なチャネル状態情報にも基づく。一実施形態では、ビンは、セルラアーキテクチャを用いてサービスされるユーザ端末だけを有するセルビンだけを含むセルビンクラスか、又はクラスタアーキテクチャを用いてサービスされるユーザ端末だけを有するクラスタビンだけを含むクラスタビンクラスかに分類される。
【００６４】
[0061]基地局コントローラ又は他の制御エンティティ内の処理ロジックは、異なる各ビンクラスに、時間−周波数平面内の時間−周波数リソースのサブセットを割り当て、各ビンクラスは、トポロジ全体にわたって、ユーザ端末からなる１つ又は複数のビンを含み、前記各ビンクラスの１つ又は複数のビン内のユーザ端末は、トポロジ全体にわたって、時間−周波数リソースのサブセットによるサービスを受ける（処理ブロック１２０２）。一実施形態では、各サブセットは、トポロジ全体にわたって、１つ又は複数のスケジューリングスロットにおいて、異なるビンクラスにサービスを行う。
【００６５】
[0062]その後、処理ロジックは、対応するビンクラス依存のアーキテクチャを各基地局で使用して、与えられたビンクラスに対して、トポロジ全体にわたって、トレーニングと送信の同時スケジューリングを実行し（処理ブロック１２０３）、それには、合同送信のために、ビンクラスに属するユーザ端末グループを選択することが含まれ、ビンクラスに属する１つ又は複数のビンに属するユーザ端末は、スケジューリングスロット上で、トポロジ全体にわたって、合同でサービスを受ける。一実施形態では、スケジューリングは、各基地局によって実行される。一実施形態では、送信のためのビンクラスに属するユーザ端末の選択は、各セル内で、スケジューリングのために、ビンクラス内の各ビン内のユーザ端末のサブセットを選択することを含む。別の実施形態では、送信のためのビンクラスに属するユーザ端末の選択は、基地局の各クラスタ内で、スケジューリングのために、ビンクラス内の各ビン内のユーザ端末のサブセットを選択することを含む。
【００６６】
[0063]スケジューリングの後、基地局内の処理ロジックは、複数の基地局において、複数のビンクラス依存のワイヤレス送信アーキテクチャを使用して、合同ダウンリンクＭＵ−ＭＩＭＯ送信を実行し、１つ又は複数のビンクラスは、複数のビンクラス依存のアーキテクチャの１つに関連付けられ、複数のビンクラス依存のアーキテクチャの各々は、トポロジ全体にわたって、トレーニング及びＭＵ−ＭＩＭＯ送信のスケジューリングの異なる組み合わせを使用する（処理ブロック１２０４）。したがって、このようにして、トレーニング及び送信のスケジューリングが、各ビンクラスに固有の方法で実行される。
【００６７】
[0064]一実施形態では、複数のビンクラス依存のワイヤレス送信アーキテクチャは、互いに異なる１つ又は複数のＭＵ−ＭＩＭＯワイヤレス送信特徴を利用する。一実施形態では、複数のビンクラス依存のワイヤレス送信アーキテクチャのうちの少なくとも２つのアーキテクチャは、送信のために異なるプリコーダを使用する。別の実施形態では、複数のビンクラス依存のワイヤレス送信アーキテクチャのうちの少なくとも２つのアーキテクチャは、異なるスケジューリングスロット当たり最大人数のユーザにサービスを行う。また別の実施形態では、複数のビンクラス依存のワイヤレス送信アーキテクチャのうちの少なくとも２つのアーキテクチャは、異なる再利用率を使用する。またさらなる実施形態では、複数のビンクラス依存のワイヤレス送信アーキテクチャのうちの少なくとも２つのアーキテクチャは、異なるパイロット再利用率を使用する。
【００６８】
[0065]一実施形態では、複数のビンクラス依存のワイヤレス送信アーキテクチャの各々がもつ特徴は、再利用率と、パイロット再利用率と、ＭＵ−ＭＩＭＯプリコーダとを含む。一実施形態では、複数のビンクラス依存のワイヤレス送信アーキテクチャの各々がもつ特徴は、ビンクラス内の与えられたビンにおいてユーザに送信する、協調的な送信に係わる基地局の数と、そこからのプリコードされた送信がビン内の与えられたスケジュールされたどのユーザ端末に対しても干渉を引き起こさない（ゼロ強制である）ことが求められる基地局の数とをさらに含む。
【００６９】
[0066]図１３は、基地局の一実施形態のブロック図である。図１３を参照すると、コントローラ入力ブロック１３０１は、基地局コントローラからの入力として、時間−周波数平面がすべてのビンクラスの間でどのように割り当てられたかについての説明を受け取る。一実施形態では、入力は、与えられたクラスに割り当てられた時間−周波数リソースが、スケジューリングスロットにどのように区分けされ、各スケジューリングスロット内で、トレーニング及び送信にどのように区分けされたかについても説明する。一実施形態では、入力１３１０は、使用するアーキテクチャのいくつかの要素（例えば、ビンクラス内の同時にスケジュールされるユーザの数、使用される送信電力など）も指定する。コントローラ入力ブロック１３０１は、コントローラ１３０２に結合され、コントローラは、送信を制御する。
【００７０】
[0067]コントローラ１３０２は、ブロック１３０１から、スケジューリングスロットを識別する入力を受け取り、各スケジューリングスロット内で、ビンクラスを識別する。コントローラ１３０２は、（ビンクラス依存のアーキテクチャと、おそらくはブロック１３０１からの入力とに基づいて）ユーザのサブセットを選択し、どのパイロットを使用すべきかを指示するインデックスを、スケジュールされた各ユーザ端末に（ＭＵ−ＭＩＭＯ送信ハードウェア１３０３を使用して）提供し、（ＭＵ−ＭＩＭＯ送信ハードウェア１３０３を使用する）アップリンクトレーニングが終了すると、チャネルを推定し、それらを使用して、（ビンクラス固有の）プリコーダを設計する。その後、コントローラ１３０２は、ＭＵ−ＭＩＭＯ送信ハードウェア１３０３及びアンテナ１３０４と併せて、ＭＵ−ＭＩＭＯ送信のためにチャネルを使用する。
[0068]上記の説明を読んだ後では、本発明の多くの代替形態及び変更形態が、当業者には疑いもなく明らかになるが、例を用いて示され、説明されたどの特定の実施形態も、限定的なものと見なされることは決して意図していないことを理解されたい。したがって、様々な実施形態の細部についての言及には、それ自体が本発明に必須と見なされる特徴のみを列挙したものである、特許請求の範囲を限定する意図はない。
【図１】
0005839941.tif 000002
【図２】
0005839941.tif 000003
【図３】
0005839941.tif 000004
【図４】
0005839941.tif 000005
【図５】
0005839941.tif 000006
【図６】
0005839941.tif 000007
【図７】
0005839941.tif 000008
【図８】
0005839941.tif 000009
【図９】
0005839941.tif 000010
【図１０】
0005839941.tif 000011
【図１１】
0005839941.tif 000012
【図１２】
0005839941.tif 000013
【図１３】
0005839941.tif 000014